(57)【特許請求の範囲】
【請求項１】
ディスクが配備されるターンテーブルの回転駆動源としてのモータの回転軸線が上記ターンテーブルと同心に設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾き及び高さを増減調節するための傾角高さ調節機能を有する光学ディスク装置において、
上記プレートに板金が用いられ、
上記プレート支持手段が、突起と孔部とを備え、その孔部に上記突起が嵌まり込むことによって、上記シャーシとプレートとを、上記モータの回転軸線に交差して上記光ピックアップの走行方向に沿って延びる水平なＹ軸の方向と上記回転軸線に交差して上記Ｙ軸に直交する水平なＸ軸の方向との２軸方向で位置決めするための位置決め機構と、
上記シャーシのねじ挿通孔に挿通されて上記プレートのねじ孔にねじ込まれた第１頭付きねじ及び第２頭付きねじを備える調整ねじ機構と、
上記プレートとシャーシとの相互間に介在されて上記プレートを上記Ｘ軸及び上記Ｙ軸に直交するＺ軸に沿って上記シャーシから遠ざかる方向に弾発付勢することによりそのシャーシを第１及び第２のそれぞれの上記頭付きねじの頭部に係止させる単一のばね体でなる付勢機構と、を有し、
上記第１頭付きねじが、Ｘ軸とＹ軸との上記交点に対して上記Ｘ軸方向に並び、かつ、Ｙ軸を挟む両側にそれぞれ配備されて、それらの第１頭付きねじを互いに逆向きに回転させることにより上記プレートのＹ軸周りの傾角がＸ軸とＹ軸との交点を中心に調節可能となされていると共に、上記第２頭付きねじが、上記交点に対してＹ軸方向に並び、かつＸ軸を挟んで上記光ピックアップの配備箇所の反対側に配備され、
上記付勢機構のばね体が上記モータの回転軸線と同心位置に配備されたねじりコイルばねでなり、そのねじりコイルばねの一側の線部端末と他側の線部端末とが、上記シャーシと上記プレートにそれぞれ設けられているばね受部に各別に係止されていることによって、そのねじりコイルばねの軸線周りの付勢作用が、上記位置決め機構の互いに嵌まり合っている突起と孔部とのがたつきを解消することに利用されていることを特徴とする光学ディスク装置。
【請求項２】
ディスクが配備されるターンテーブルの回転駆動源としてのモータの回転軸線が上記ターンテーブルと同心に設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾き及び高さを増減調節するための傾角高さ調節機能を有する光学ディスク装置において、
上記プレート支持手段が、
突起と孔部とを備えてその孔部に上記突起が嵌まり込むことによって、上記シャーシとプレートとを、上記モータの回転軸線に交差して上記光ピックアップの走行方向に沿って延びる水平なＹ軸の方向と上記回転軸線に交差して上記Ｙ軸に直交する水平なＸ軸の方向との２軸方向で位置決めするための位置決め機構と、
上記シャーシのねじ挿通孔に挿通されて上記プレートのねじ孔にねじ込まれた第１頭付きねじ及び第２頭付きねじを備える調整ねじ機構と、
上記プレートとシャーシとの相互間に介在されて上記プレートを上記Ｘ軸及び上記Ｙ軸に直交するＺ軸に沿って上記シャーシから遠ざかる方向に弾発付勢することによりそのシャーシを第１及び第２のそれぞれの上記頭付きねじの頭部に係止させる単一のばね体でなる付勢機構と、を有し、
上記第１頭付きねじが上記Ｙ軸を挟む両側にそれぞれ配備されて、それらの第１頭付きねじを回転させることにより上記プレートのＹ軸周りの傾角がＸ軸とＹ軸との交点を中心に調節可能となされていると共に、上記第２頭付きねじが上記Ｘ軸を挟んで上記光ピックアップの配備箇所の反対側に配備され、
上記付勢機構のばね体がねじりコイルばねでなり、そのねじりコイルばねの軸線周りの付勢作用が、上記位置決め機構の互いに嵌まり合っている突起と孔部とのがたつきを解消することに利用されていることを特徴とする光学ディスク装置。
【請求項３】
上記ねじりコイルばねが、上記Ｙ軸を挟む両側にそれぞれ配備された上記第１頭付きねじと上記第２頭付きねじとを頂点とする三角形の領域内に圧縮状態で配備され、そのねじりコイルばねの一側の線部端末と他側の線部端末とが、上記シャーシと上記プレートにそれぞれ設けられているばね受部に係止されている請求項２に記載した光学ディスク装置。
【請求項４】
Ｙ軸を挟む両側にそれぞれ配備されている第１頭付きねじがＸ軸とＹ軸との上記交点に対して上記Ｘ軸方向に並び、上記第２頭付きねじが上記交点に対してＹ軸方向に並んでいる請求項３に記載した光学ディスク装置。
【請求項５】
上記シャーシが樹脂成形体でなり、上記プレートが板金製である請求項４に記載した光学ディスク装置。
【発明の詳細な説明】
【技術分野】
【０００１】
本発明は、光学ディスク装置、特に、ディスクの記録面に対する光軸の傾角調整やフォーカス調整を、ターンテーブルの回転駆動源としてのモータを設置しているプレートの傾角や高さを増減調節することによって行う形式の光学ディスク装置に関する。
【背景技術】
【０００２】
ＤＶＤなどを取り扱う光学ディスク装置は、ディスクをターンテーブルに保持させて回転させながら、光ピックアップをそのディスクの半径方向に走行させ、その光ピックアップによって構成される光学系の作用によってディスクの記録面を光学的に処理するという工程が行われる。このような光学ディスク装置では、光ピックアップがトラバースシャーシと通称されているシャーシに取り付けられているのに対し、ターンテーブルの回転駆動源としてブラシレスモータが用いられていることが多い。
【０００３】
そして、光学ディスク装置によるディスクの記録面に対する処理性能は、その記録面に対する上記光学系の光軸の傾角やフォーカス度に大きく依存しており、それらの傾角やフォーカス度の精度の良否によってモニター画像品質などが影響を受ける。そのため、光学ディスク装置では、上記光学系の光軸の傾角やフォーカス度の調整を行うことが不可欠になっている。
【０００４】
従来、光学系の光軸の傾角やフォーカス度の調整を行うための手段として、光ピックアップの傾角や高さを増減調節する方法（図６〜図８に示した光学ディスク装置参照）や、スピンドルモータに直結されたターンテーブルのディスク載置面の傾角や高さを増減調節する方法（たとえば、特許文献１、特許文献２参照）が行われていた。
【０００５】
光ピックアップの傾角や高さを増減調節する方法を採用した従来の光学ディスク装置を図６に概略平面図で示してあり、図７には同光学ディスクの概略側面図、図８には同光学ディスクの概略正面図をそれぞれ示してある。この光学ディスク装置では、シャーシ１の左右２箇所に振り分けて取り付けられているガイドシャフト２と倣いレール３とによって光ピックアップ４を走行可能に支持させてあると共に、ガイドシャフト２などが取り付けられているものと同じシャーシ１にスピンドルモータ５を設置し、そのスピンドルモータ５の回転軸にターンテーブル６を直結してある。そして、ターンテーブル６のディスク載置面６ａに保持させたディスクＤの記録面を、図示していないモータによってそのディスクＤの半径方向Ｆに走行駆動される上記光ピックアップ４の作用によって処理するようになっている。
【０００６】
この光学ディスク装置では、光学系の光軸の傾角やフォーカス度の調整を行うときには、ガイドシャフト２をシャーシ１に取り付けることに用いられている前後の頭付きねじＭ１，Ｍ２や、倣いレール３をシャーシ１に取り付けることに用いられている前後の頭付きねじＳ１，Ｓ２と、それら４本の頭付きねじＭ１，Ｍ２，Ｓ１，Ｓ２にそれぞれ付設されているコイルばねＭ１’，Ｍ２’，Ｓ１’，Ｓ２’（Ｓ２’は図に現れていない）とが利用される。たとえば、頭付きねじＭ１，Ｍ２を回転させてガイドシャフト２の前後の各端部を同時に上下させると、ガイドシャフト２に支えられている光ピックアップ４が倣いレール３を中心として上下に傾動するので、このことを利用して前後方向に延びるＹ軸周りでの傾角調整、すなわち図８に矢印Ｔで示したタンジェンシャル方向でのチルト調整が行われる。また、後側２箇所の頭付きねじＳ２，Ｍ２を回転させてガイドシャフト２及び倣いレール３の各後端部を同時に上下させると、ガイドシャフト２や倣いレール３に支えられている光ピックアップ４が、前側２箇所の頭付きねじＳ１，Ｍ１によるガイドシャフト２や倣いレール３の取付け箇所を通るＸ軸周りでの傾角調整、すなわち図７に矢印Ｒで示したラジアル方向でのチルト調整が行われる。さらに、４箇所の頭付きねじＭ１，Ｍ２，Ｓ１，Ｓ２を回転させてガイドシャフト２及び倣いレール３の前後の各端部を同時に上下させると、ガイドシャフト２や倣いレール３に支えられている光ピックアップ４が上下に変位して高さ調整、すなわち図７に矢印Ｈで示したフォーカス方向での調整（フォーカス調整）が行われる。
【０００７】
一方、特許文献１や特許文献２には、ターンテーブルのディスク載置面の傾角や高さを増減調節する方法を採用した光学ディスク装置が示されている。このうち、特許文献１のディスク装置は、光ピックアップが取り付けられているトラバースシャーシの下側に、スピンドルモータを設置した取付け板を位置決めして配備し、その取付け板の下側にさらに高さ調整板を配備すると共に、取付け板と高さ調整ビスとを圧縮スプリングが付設された角度調整ビスにより連結してあると共に、取付け板とトラバースシャーシとを高さ調整ビスにより連結してある。また、特許文献２には、傾角調整に利用されるばね材として単一の一体型板ばねを用いた傾角調整機構が開示されている。
【特許文献１】特開２００４−３１０９４６号公報
【特許文献２】特開２００４−３０７２２号公報
【発明の開示】
【発明が解決しようとする課題】
【０００８】
しかしながら、図６〜図８を参照して説明した光学ディスク装置では、４箇所の頭付きねじＭ１，Ｍ２，Ｓ１，Ｓ２やそれらに付設されたコイルばねＭ１’，Ｍ２’，Ｓ１’，Ｓ２’の必要数が多いという問題がある。これと同様の問題は、特許文献２によって提案されているディスク装置にも存在している。一方、特許文献３によって提案されている傾角調整装置は、一体型板ばねを１つだけ用いているものではあるけれども、その一体型板ばねの形状が複雑なために組立性やコストが高くつくという問題がある。
【０００９】
本発明は、以上の状況の下でなされたものであり、光学系の光軸の傾角調整やフォーカス調整を行うための手段として、ターンテーブルのディスク載置面の傾角や高さを増減調節する方法を採用するということを基本として、傾角調整やフォーカス度の調整を行うことに用いられる頭付きねじやばね体の必要数を削減することができるだけでなく、傾角調整のうち、特にタンジェンシャル方向でのチルト調整の精度を高めることのできる光学ディスク装置を提供することを目的とする。
【００１０】
また、本発明は、光ピックアップが取り付けられているシャーシとモータが設置されてるプレートとを互いに直交する２軸方向で位置決めするための位置決め機構のがたつきを解消して光学性能を向上させることのできる光学ディスク装置を提供することを目的とする。
【課題を解決するための手段】
【００１１】
本発明に係る光学ディスク装置は、ディスクが配備されるターンテーブルの回転駆動源としてのモータの回転軸線が上記ターンテーブルと同心に設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾き及び高さを増減調節するための傾角高さ調節機能を有している。
【００１２】
そして、上記プレート支持手段が、突起と孔部とを備えてその孔部に上記突起が嵌まり込むことによって、上記シャーシとプレートとを、上記モータの回転軸線に交差して上記光ピックアップの走行方向に沿って延びる水平なＹ軸の方向と上記回転軸線に交差して上記Ｙ軸に直交する水平なＸ軸の方向との２軸方向で位置決めするための位置決め機構と、上記シャーシのねじ挿通孔に挿通されて上記プレートのねじ孔にねじ込まれた第１頭付きねじ及び第２頭付きねじを備える調整ねじ機構と、上記プレートとシャーシとの相互間に介在されて上記プレートを上記Ｘ軸及び上記Ｙ軸に直交するＺ軸に沿って上記シャーシから遠ざかる方向に弾発付勢することによりそのシャーシを第１及び第２のそれぞれの上記頭付きねじの頭部に係止させる単一のばね体でなる付勢機構と、を有し、上記第１頭付きねじが上記Ｙ軸を挟む両側にそれぞれ配備されて、それらの第１頭付きねじを回転させることにより上記プレートのＹ軸回りの傾角がＸ軸とＹ軸との交点を中心に調節可能となされていると共に、上記第２頭付きねじが上記Ｘ軸を挟んで上記光ピックアップの配備箇所の反対側に配備されている。
【００１３】
この発明によると、位置決め機構によってシャーシとプレートとが互いに直交する２軸方向で位置決めされるほか、傾角調整や高さ調整に際して調整ねじ機構の第１及び第２のそれぞれの頭付きねじと共働する付勢機構が単一のばね体によって構成されているので、傾角調整や高さ調整に必要なばね体の必要数が必要最少限度に抑えられる。その上、第１頭付きねじを回転させることによりプレートのＹ軸回りの傾角がＸ軸とＹ軸との交点を中心に調節可能となされていることに加えて、Ｘ軸とＹ軸との交点がモータの回転軸線上に位置する構成を採用しているために、上述したタンジェンシャル方向でのチルト調整を行ったときのディスクの中心位置のＸ軸方向でのずれ量が可及的少なくなり、併せて、タンジェンシャル方向でのチルト調整を行ったときには、ディスクの中心位置がＺ軸方向（高さ方向）にずれにくくなるので、そのことが、タンジェンシャル方向でのチルト調整の精度を高めることに役立つという作用が奏される。
【００１４】
さらに、この発明では、上記付勢機構のばね体がねじりコイルばねでなり、そのねじりコイルばねの軸線回りの付勢作用が、上記位置決め機構の互いに嵌まり合っている突起と孔部とのがたつきを解消することに利用されている、という構成を有している。このため、傾角調整や高さ調整に際して調整ねじ機構の第１及び第２のそれぞれの頭付きねじと共働する付勢機構の単一のばね体が、シャーシとプレートとのがたつきを防ぐことにも利用されて光学性能が向上すると共に、そのようながたつきを防ぐための他の構成を採用する必要がなくなってそれだけ構成が簡単になるという利点がある。これらの作用は、上記ねじりコイルばねが、上記Ｙ軸を挟む両側にそれぞれ配備された上記第１頭付きねじと上記第２頭付きねじとを頂点とする三角形の領域内に圧縮状態で配備され、そのねじりコイルばねの一側の線部端末と他側の線部端末とが、上記シャーシと上記プレートにそれぞれ設けられているばね受部に係止されているという構成によっても発揮される。
【００１５】
本発明では、Ｙ軸を挟む両側にそれぞれ配備されている第１頭付きねじがＸ軸とＹ軸との上記交点に対して上記Ｘ軸方向に並び、上記第２頭付きねじが上記交点に対してＹ軸方向に並んでいることが望ましい。これによれば、ねじりコイルばねでなるばね体がモータの回転軸線と同心位置に配備されていることと相まって、傾角調整作業を容易かつ正確に行うことができるようになる。
【００１６】
本発明では、上記シャーシが樹脂成形体でなり、上記プレートが板金製である、という構成を採用することができる。これによれば、調整ねじ機構の第１及び第２の頭付きねじをねじ込むねじ孔が板金製のプレートに形成されているために、それらの頭付きねじのねじ込み箇所がルーズになって傾角及び高さ調整の効果が事後的に消失するというおそれがなくなることと共に、シャーシを樹脂で安価に成形することができるという利点がある。
【００１７】
本発明に係る光学ディスク装置は、ディスクが配備されるターンテーブルの回転駆動源としてのモータの回転軸線が上記ターンテーブルと同心に設置されているプレートと、このプレートに対峙するシャーシに取り付けられて上記ディスクの半径方向に走行駆動される光ピックアップと、上記シャーシに上記プレートを支持させるプレート支持手段とを有し、そのプレート支持手段が、上記プレートの縦横方向での傾き及び高さを増減調節するための傾角高さ調節機能を有する光学ディスク装置において、上記プレートに板金が用いられ、上記プレート支持手段が、突起と孔部とを備え、その孔部に上記突起が嵌まり込むことによって、上記シャーシとプレートとを、上記モータの回転軸線に交差して上記光ピックアップの走行方向に沿って延びる水平なＹ軸の方向と上記回転軸線に交差して上記Ｙ軸に直交する水平なＸ軸の方向との２軸方向で位置決めするための位置決め機構と、上記シャーシのねじ挿通孔に挿通されて上記プレートのねじ孔にねじ込まれた第１頭付きねじ及び第２頭付きねじを備える調整ねじ機構と、上記プレートとシャーシとの相互間に介在されて上記プレートを上記Ｘ軸及び上記Ｙ軸に直交するＺ軸に沿って上記シャーシから遠ざかる方向に弾発付勢することによりそのシャーシを第１及び第２のそれぞれの上記頭付きねじの頭部に係止させる単一のばね体でなる付勢機構と、を有し、上記第１頭付きねじが、Ｘ軸とＹ軸との上記交点に対して上記Ｘ軸方向に並び、かつ、Ｙ軸を挟む両側にそれぞれ配備されて、それらの第１頭付きねじを互いに逆向きに回転させることにより上記プレートのＹ軸周りの傾角がＸ軸とＹ軸との交点を中心に調節可能となされていると共に、上記第２頭付きねじが、上記交点に対してＹ軸方向に並び、かつＸ軸を挟んで上記光ピックアップの配備箇所の反対側に配備され、上記付勢機構のばね体が上記モータの回転軸線と同心位置に配備されたねじりコイルばねでなり、そのねじりコイルばねの一側の線部端末と他側の線部端末とが、上記シャーシと上記プレートにそれぞれ設けられているばね受部に各別に係止されていることによって、そのねじりコイルばねの軸線周りの付勢作用が、上記位置決め機構の互いに嵌まり合っている突起と孔部とのがたつきを解消することに利用されている、という構成を採用することによっていっそう具体化される。この発明の作用などについては後述する実施形態を参照して詳細に説明する。
【発明の効果】
【００１８】
以上のように、本発明によれば、光学系の光軸の傾角やフォーカス度を、ターンテーブルのディスク載置面の傾角や高さを増減調節することによって調整することが可能である。そして、本発明によれば、傾角調整やフォーカス度の調整を行うことに用いられる頭付きねじやばね体の必要数が従来例に比べて削減されてそれだけ組立行程が簡略されるために光学ディスク装置の量産化に適合するだけでなく、傾角調整のうち、特にタンジェンシャル方向でのチルト調整の精度が高まるという卓越した効果が奏される。その上、光ピックアップが取り付けられているシャーシとモータが設置されてるプレートとを互いに直交する２軸方向で位置決めするための位置決め機構のがたつきが、特別に部品を追加することなく解消されて光学性能が向上するという利点もある。
【発明を実施するための最良の形態】
【００１９】
図１は本発明に係る光学ディスク装置を斜め上から見て示した概略斜視図、図２は同装置の部分概略平面図、図３は同装置を裏面側から見て示した概略斜視図、図４は同装置を裏面側から見て示した部分概略平面図、図５は同装置の要部の一部破断正面図である。
【００２０】
図１〜図５において、矩形のシャーシ１０はトラバースシャーシと通称されているものであって、樹脂成形体でなる。そして、このシャーシ１０の開口部１１に配備されている光ピックアップ２０が、シャーシ１０に固着されているガイドシャフト３０と上記開口部１１の１つの辺部によって形成された倣いレール４０とにより案内されて走行可能となっている。
【００２１】
シャーシ１０の前部中央に図１又は図５によって示した凹入部１２が備わり、その凹入部１２にスピンドルモータ（以下「モータ」という）６０が設置された板金製のプレート５０を収容させることによって、そのプレート５０をシャーシ１０に対峙させてあると共に、プレート５０の周囲３箇所に具備されている水平な突片部５１，５１，５２がシャーシ１０の上側に配備されている。モータ６０はターンテーブル６１の回転駆動源に相当していて、その回転軸にターンテーブル６１を直結することによって、モータ６０の回転軸線をターンテーブル６１と同心位置に配備してある。
【００２２】
プレート５０はプレート支持手段によってシャーシ１０に支持されている。このプレート支持手段には、位置決め機構７１と、調整ねじ機構７５と、付勢機構８１とが含まれている。
【００２３】
このうち、位置決め機構７１は、図１又は図３に示した突起７２と孔部７３とを備え、その孔部７３に突起７２が嵌まり込むことによってシャーシ１０とプレート５０とを互いに直交する水平な２軸方向でのみ位置決めする作用を発揮し、上下方向ではシャーシ１０に対するプレート５０の変位を許容する。この実施形態では、突起７２を樹脂成形体でなるシャーシ１０に一体に成形してあり、孔部７３を板金製のプレート５０の左右の各突片部５１，５１に形成してある。
【００２４】
調整ねじ機構７５は、図２又は図４のように、シャーシ１０に対峙している上記した３箇所の水平な突片部５１，５１，５２にそれぞれ備わっている。そして、左右の突片部５１，５１に具備されている調整ねじ機構７５は、図５のように、シャーシ１０のねじ挿通孔１３に挿通されて突片部５１，５１のねじ孔５３にねじ込まれた第１頭付きねじ７６を備えているのに対し、他の１つの突片部５２に具備されている調整ねじ機構７５は、図３などによって類推できるように、シャーシ１０のねじ挿通孔に挿通されて突片部５２のねじ孔にねじ込まれた第２頭付きねじ７７を備えている。
【００２５】
付勢機構８１は、プレート５０とシャーシ１０との相互間に介在された単一のばね体によって構成されていて、この実施形態ではそのばね体がねじりコイルばね８２でなる。また、ねじりコイルばね８２は、そのコイル部が左右２箇所の第１頭付きねじ７６と１箇所の第２頭付きねじ７７とを頂点とする三角形の領域内、好ましくはモータ６０の回転軸線と同心位置に圧縮状態で配備されていると共に、その一側の線部端末８３がシャーシ１０に設けられている突起状のばね受部１４に係止され、かつ、その他側の線部端末８４がプレート５０に形成された孔部でなるばね受部５４に差し込まれて係止されている。そして、このねじりコイルばね８２のコイル部の付勢作用により、プレート５０がシャーシ１０から遠ざかる方向に弾発付勢されて、そのシャーシ１０が第１及び第２のそれぞれの頭付きねじ７６，７７の頭部７６ａ，７７ａに係止されていると共に、そのねじりコイルばね８２の軸線周りの付勢作用が、上記した位置決め機構７１の互いに嵌まり合っている突起７２と孔部７３とのがたつきを解消することに利用されている。すなわち、ねじりコイルばね８２の軸線周りの付勢作用によってプレート５０側の孔部７３の孔壁面がシャーシ１０側の突起７２の外周面に押し付けられて上記両者のがたつきが解消されている。
【００２６】
ところで、この光学ディスク装置においては、図２及び図４に示した互いに直交する水平なＸ軸とＹ軸とが想定されていて、それらのＸ軸とＹ軸とは、いずれも上記モータ６０の回転軸線に交差している。したがって、Ｘ軸とＹ軸との交点Ｐがモータ６０の回転軸線上に位置している。そして、光ピックアップ２０が前後方向に走行駆動されたときには、その対物レンズ２１がＹ軸に平行に移動する。また、２箇所の第１頭付きねじ７６，７６が、Ｘ軸とＹ軸との交点Ｐに対してＸ軸方向に並び、かつ、Ｙ軸を挟む両側の対称位置にそれぞれ配備されているのに対し、第２頭付きねじ７７が、交点Ｐに対してＹ軸方向に並び、かつＸ軸を挟んで光ピックアップ２０の配備箇所の反対側に配備されている。また、２箇所の位置決め機構７１，７１による位置決め作用は、水平なＸ軸及びＹ軸の２軸方向に対して行われ、さらに、付勢機構８１のねじりコイルばね８２のコイル部による付勢力は、上記交点Ｐを通過してＸ軸及びＹ軸に直交するＺ軸に沿う方向に作用する。
【００２７】
以上のように構成されている光学ディスク装置によると、プレート支持手段に、プレート５０の縦横方向での傾き及び高さを増減調節するための傾角高さ調節機能が付与されている。次に、このプレート支持手段に付与されている傾角高さ調節機能を利用してディスクＤの記録面に対する光軸の傾角調整（チルト調整）や高さ調整（フォーカス調整）を行う手順の一例を説明する。
【００２８】
Ｙ軸周りの傾角調整（タンデンシャル方向でのチルト調整）は、左右２箇所の調整ねじ機構７５，７５を利用することにより行われる。具体的には、左右の第１頭付きねじ７６，７６を回転させることによりＸ軸とＹ軸との交点Ｐを中心にしてプレート５０を傾動させてその傾角を調節することによって行われる。この場合、左右の突片部５１，５１のねじ孔５３，５３が同一ピッチで同一の螺旋方向のねじ溝を有している事例では、左右の第１頭付きねじ７６，７６を互いに逆向きに回転させればよい。また、Ｘ軸周りでの傾角調整（ラジアル方向でのチルト調整）は、１箇所の調整ねじ機構７５を利用することにより行われる。具体的には、第２頭付きねじ７７を回転させることによりその傾角を調節することによって行われる。さらに高さ調整（フォーカス調整）は、３箇所の調整ねじ機構７５，７５，７６の第１頭付きねじ７６，７６と第２頭付きねじ７７とを同時に回転させることによって行われる。
【００２９】
図９には、Ｙ軸周りの傾角調整によって生じるディスク中心のＸ軸方向のずれ量とＺ軸方向のずれ量とを、図６などを参照して説明した従来例と上記実施形態の場合とで比較して示してある。同図（Ａ）が従来例についてのずれ量を示した説明図、同図（Ｂ）が実施形態についてのずれ量を示した説明図である。同図（Ａ）において、Ｓ１はモータの回転軸線、Ｌ１はモータの回転軸線Ｓ１からガイドシャフト２の軸線までの距離をそれぞれ示し、同図（Ｂ）において、Ｓ２はモータの回転軸線を示している。これらの図を対比することによって判るように、同図（Ｂ）の実施形態では傾角調整の際の中心（Ｘ軸とＹ軸との交点Ｐ：図２参照）が回転軸線Ｓ２上に位置しているのに対し、同図（Ａ）の従来例では傾角調整の際の中心がモータの回転軸線Ｓ１から離れた箇所に位置しているので、ディスク中心のＸ軸方向のずれ量Ｘ１は、従来例よりも実施形態の方が少なくなり、高さ方向のずれ量Ｈ１についても従来例よりも実施形態の方が少なくなる。なお、θは傾角調整による傾き角度を示している。
【００３０】
以上説明したように、この実施形態によれば、傾角調整や高さ調整に際して調整ねじ機構７５の第１及び第２のそれぞれの頭付きねじ７６，７７と共働する付勢機構８１が単一のねじりコイルばね８２によって構成されているので、傾角調整や高さ調整に必要なばね体の必要数が従来例に比べて削減されるだけでなく、第１頭付きねじ７６を回転させることによりプレート５０のＹ軸回りの傾角がＸ軸とＹ軸との交点Ｐを中心に増減調節され、しかも、Ｘ軸とＹ軸との交点Ｐがモータ６０の回転軸線上に位置しているために、特に、Ｙ軸周りでの傾角調整を行ったときのディスクＤの中心位置のＸ軸方向でのずれ量が可及的少なくなり、併せて、ディスクＤの中心位置がＺ軸方向にずれなくなるので、そのことが、Ｙ軸周りの傾角調整による弊害をも少なくすることに役立つ。
【図面の簡単な説明】
【００３１】
【図１】本発明に係る光学ディスク装置を斜め上から見て示した概略斜視図である。
【図２】同装置の部分概略平面図である。
【図３】同装置を裏面側から透視的に見て示した概略斜視図である。
【図４】同装置を裏面側から透視的に見て示した部分概略平面図である。
【図５】同装置の要部の一部破断正面図である。
【図６】従来の光学ディスク装置の概略平面図である。
【図７】従来の光学ディスクの概略側面図である。
【図８】従来の光学ディスクの概略正面図である。
【図９】（Ａ）は従来例についての傾角調整に伴う作用を示した説明図、（Ｂ）は実施形態についての傾角調整に伴う作用を示した説明図である。
【符号の説明】
【００３２】
Ｄ  ディスク
Ｐ  Ｘ軸とＹ軸との交点
１０  シャーシ
１３  ねじ挿通孔
１４，５４  ばね受部
２０  光ピックアップ
５０  プレート
５３  ねじ孔
６０  モータ
６１  ターンテーブル
７２  突起
７３  孔部
７１  位置決め機構
７５  調整ねじ機構
７６  第１頭付きねじ
７６ａ，７７ａ  頭部
７７  第２頭付きねじ
８１  付勢機構
８２  ねじりコイルばね
８３，８４  線部端末
【図１】
0004453658.tif 000002
【図２】
0004453658.tif 000003
【図３】
0004453658.tif 000004
【図４】
0004453658.tif 000005
【図５】
0004453658.tif 000006
【図６】
0004453658.tif 000007
【図７】
0004453658.tif 000008
【図８】
0004453658.tif 000009
【図９】
0004453658.tif 000010